(57)【要約】【課題】棚板を良好にスライドさせる。【解決手段】陳列棚１０では、左右一対のブッシュ９０Ｌ，９０Ｒが、棚板ユニット２４の後端部における幅方向両端部に設けられている。そして、ブッシュ９０Ｌ，９０Ｒが、棚受けユニット２２のガイドレール３２内に配置されて、棚板ユニット２４のガイドレール３２に対する左右方向の相対移動を規制している。このため、棚板ユニット２４を前後方向に良好に（スムースに）スライドさせることができる。【選択図】図１１
2020156788.tif 000002
【特許請求の範囲】
【請求項１】
上下方向に延在された左右一対の支柱を有するフレームと、
前記支柱に組付けられ、前後方向に延在されたガイドレールを有する左右一対の棚受け部材と、
前記棚受け部材の上側において前後方向にスライド可能に前記棚受け部材に組付けられた棚板と、
左右方向を軸方向として前記ガイドレールの前端部に回転可能に設けられ、前記棚板を下側から支持する左右一対の固定側ローラと、
左右方向を軸方向として前記棚板の後端部に回転可能に設けられ、前記ガイドレールの内部に配置されると共に、前記棚板のスライド時に転動する左右一対の可動側ローラと、
前記棚板の後端部に設けられ、左右方向における前記棚板の前記ガイドレールに対する相対移動を規制する規制部材と、
を備えた陳列棚。
【請求項２】
前記可動側ローラは、左右方向を軸方向とするローラ支持軸に回転可能に支持され、前記ローラ支持軸は、前記棚板に締結固定された固定軸部を有しており、
前記規制部材が、前記固定軸部と共に前記棚板に固定されている請求項１に記載の陳列棚。
【請求項３】
前記ガイドレールは、前側から見て、上側へ開放されたＵ字形状に屈曲されており、
前記規制部材が、前記ガイドレールの側壁の根元部に当接可能に構成されている請求項１又は請求項２に記載の陳列棚。
【請求項４】
前記規制部材には、前記棚板との位置を決める位置決め部が形成され、
前記ガイドレールは、前側から見て、上側へ開放されたＵ字形状に屈曲されており、
前記位置決め部が、前記可動側ローラの前側において、前記ガイドレールの側壁に当接可能に構成されている請求項１〜請求項３の何れか１項に記載の陳列棚。
【請求項５】
前記棚受け部材は、前記支柱に組付けられたブラケットを有しており、
前記ブラケットは、左右方向を板厚方向として前後方向に延在されると共に、前記ガイドレールの側壁に接合されている請求項３又は請求項４に記載の陳列棚。
【発明の詳細な説明】
【技術分野】
【０００１】
本発明は、陳列棚に関する。
【背景技術】
【０００２】
下記特許文献１の陳列棚では、棚板が、左右一対のブラケットに前後方向にスライド可能に連結されている。また、この陳列棚では、ブラケットローラ部材が左右方向を軸方向としてブラケットの前端部に回転可能に設けられており、棚板ローラ部材が棚板の左右の後端部に左右方向を軸方向として回転可能に設けられている。また、棚板ローラ部材は、ブラケットのブラケットレール部内に配置され、ブラケットローラ部材は、棚板の棚板レール部内に配置されている。これにより、棚板がブラケットに対して前後方向にスライドすると、棚板ローラ部材及びブラケットローラ部材が回転するようになっている。
【先行技術文献】
【特許文献】
【０００３】
【特許文献１】特開２０１３−１７９９９０号公報
【発明の概要】
【発明が解決しようとする課題】
【０００４】
しかしながら、上記陳列棚では、以下の点において改善の余地がある。すなわち、例えば、棚板が前方に引き出された状態において、棚板の前端部における左端部又は右端部を後側へ押込んで棚板を後側へスライドさせようとすると、棚板に回転モーメントが発生する。このため、棚板が左右のブラケットに対して傾く。これにより、棚板ローラ部材がブラケットレール部の側部をこじるようになり、棚板が後側へ良好にスライドしない可能性がある。
【０００５】
本発明は、上記事実を考慮して、棚板を良好にスライドさせることができる陳列棚を提供することを目的とする。
【課題を解決するための手段】
【０００６】
本発明の１又はそれ以上の実施形態は、上下方向に延在された左右一対の支柱を有するフレームと、前記支柱に組付けられ、前後方向に延在されたガイドレールを有する左右一対の棚受け部材と、前記棚受け部材の上側において前後方向にスライド可能に前記棚受け部材に組付けられた棚板と、左右方向を軸方向として前記ガイドレールの前端部に回転可能に設けられ、前記棚板を下側から支持する左右一対の固定側ローラと、左右方向を軸方向として前記棚板の後端部に回転可能に設けられ、前記ガイドレールの内部に配置されると共に、前記棚板のスライド時に転動する左右一対の可動側ローラと、前記棚板の後端部に設けられ、左右方向における前記棚板の前記ガイドレールに対する相対移動を規制する規制部材と、を備えた陳列棚である。
【０００７】
本発明の１又はそれ以上の実施形態は、前記可動側ローラは、左右方向を軸方向とするローラ支持軸に回転可能に支持され、前記ローラ支持軸は、前記棚板に締結固定された固定軸部を有しており、前記規制部材が、前記固定軸部と共に前記棚板に固定されている陳列棚である。
【０００８】
本発明の１又はそれ以上の実施形態は、前記ガイドレールは、前側から見て、上側へ開放されたＵ字形状に屈曲されており、前記規制部材が、前記ガイドレールの側壁の根元部に当接可能に構成されている陳列棚である。
【０００９】
本発明の１又はそれ以上の実施形態は、前記規制部材には、前記棚板との位置を決める位置決め部が形成され、前記ガイドレールは、前側から見て、上側へ開放されたＵ字形状に屈曲されており、前記位置決め部が、前記可動側ローラの前側において、前記ガイドレールの側壁に当接可能に構成されている陳列棚である。
【００１０】
本発明の１又はそれ以上の実施形態は、前記棚受け部材は、前記支柱に組付けられたブラケットを有しており、前記ブラケットは、左右方向を板厚方向として前後方向に延在されると共に、前記ガイドレールの側壁に接合されている陳列棚である。
【発明の効果】
【００１１】
上記構成の陳列棚によれば、棚板を良好にスライドさせることができる。
【図面の簡単な説明】
【００１２】
【図１】（Ａ）は、本実施の形態に係る陳列棚を示す前側から見た正面図であり、（Ｂ）は、（Ａ）の陳列棚を右側から見た側面図である。
【図２】図１に示されるスライド棚を示す右斜め前方から見た斜視図である。
【図３】図２に示されるスライド棚における棚板ユニットを棚受けユニットから取外した状態を示す右斜め前方から見た斜視図である。
【図４】図３に示される右側のブラケットユニットを分解した分解斜視図である。
【図５】図３に示される棚板ユニットを分解した分解斜視図である。
【図６】図５に示される右側の棚板レール周辺を拡大して示す分解斜視図である。
【図７】図２に示されるスライド棚の右前端部における棚板ユニットと棚受けユニットとの組付状態を示す前側から見た断面図（図２の７−７線断面図）である。
【図８】図２に示されるスライド棚の右後端部における棚板ユニットと棚受けユニットとの組付状態を示す前側から見た断面図（図２の８−８線断面図）である。
【図９】図８に示される可動側ローラとガイドレールとの位置関係を示す上側から見た平面図である。
【図１０】（Ａ）は、図９に示されるブッシュを示す左斜め前方から見た斜視図であり、（Ｂ）は、（Ａ）のブッシュを右斜め前方から見た斜視図である。
【図１１】図１（Ｂ）に示される、引出位置に配置された棚板ユニットを後方側へスライドさせるときの棚板ユニットの動作を説明するための上側から見た断面図（図１（Ｂ）の１１−１１線断面図）である。
【発明を実施するための形態】
【００１３】
以下、図面を用いて、本実施の形態に係る陳列棚１０について説明する。なお、図面において適宜示される矢印ＵＰ、矢印ＦＲ、矢印ＲＨは、それぞれ陳列棚１０の上側、前側、右側（幅方向一方側）を示している。そして、以下の説明において、上下、前後、左右の方向を用いて説明するときは、特に断りのない限り、陳列棚１０の上下方向、前後方向、左右方向を示すものとする。
【００１４】
図１（Ａ）及び（Ｂ）に示されるように、陳列棚１０は、陳列棚１０の骨格を構成するフレーム１１と、複数（本実施の形態では、３個）のスライド棚２０と、を含んで構成されている。そして、スライド棚２０が、フレーム１１に組付けられて、上下方向に所定の間隔を空けて配置されている。以下、陳列棚１０の各構成について説明する。
【００１５】
（フレーム１１について）
フレーム１１は、左右一対の脚フレーム１２と、左右一対の支柱１３と、を含んで構成されている。脚フレーム１２は、中空の矩形柱状に形成されて、前後方向に延在されている。そして、脚フレーム１２が、陳列棚１０を設置する設置面上に設置されている。
【００１６】
支柱１３は、中空の矩形柱状に形成されて、上下方向に延在されている。そして、支柱１３の下端部が、脚フレーム１２の後端部に連結されて、支柱１３が、脚フレーム１２の後端部から上側へ延出している。また、左右一対の支柱１３の間には、左右方向に延在された上下一対の横フレーム１４（図１（Ａ）では、下側の横フレーム１４のみが図示されている）が設けられている。上側の横フレーム１４は、一対の支柱１３の上端部を連結しており、下側の横フレーム１４は、一対の支柱１３の下端部を連結している。また、支柱１３の前壁には、複数の係止孔１３Ａが貫通形成されている。係止孔１３Ａは、上下方向を長手方向とする矩形状に形成されている。また、係止孔１３Ａは、上下方向に所定の間隔を空けて並んで配置されており、上下方向に並ぶ係止孔１３Ａの列が、左右方向に２列に並んで配置されている。
【００１７】
また、フレーム１１の後部には、支柱１３と横フレーム１４とによって形成された枠内において、格子状の背面パネル１５が設けられている。
【００１８】
（スライド棚２０について）
図１〜図３に示されるように、スライド棚２０は、棚受けユニット２２と、「棚板」としての棚板ユニット２４と、を含んで構成されている。棚板ユニット２４は、棚受けユニット２２に前後方向にスライド可能に組付けられている。具体的には、棚板ユニット２４が、収納位置（図１（Ｂ）において、実線にて示される位置）と、収納位置から前側へ引き出された引出位置（図１（Ｂ）の最上段の棚板ユニット２４において、２点鎖線にて示される位置）と、の間をスライドするように構成されている。なお、本実施の形態では、最上段のスライド棚２０の前後方向の寸法が、２段目のスライド棚２０の前後方向の寸法よりも小さく、２段目のスライド棚２０の前後方向の寸法が、最下段のスライド棚２０の前後方向の寸法よりも小さく設定されている。以下、スライド棚２０の構成について説明する。
【００１９】
＜棚受けユニット２２について＞
図３に示されるように、棚受けユニット２２は、左右一対の「棚受け部材」としてのブラケットユニット３０Ｌ，３０Ｒを有している。ブラケットユニット３０Ｌとブラケットユニット３０Ｒとは、陳列棚１０の幅方向中央に対して左右対称に構成されている。このため、以下、右側のブラケットユニット３０Ｒの構成について説明し、左側のブラケットユニット３０Ｌの構成についての説明は、適宜省略する。
【００２０】
図４にも示されるように、ブラケットユニット３０Ｒは、ブラケット３１と、ガイドレール３２と、固定側ローラ３３と、を含んで構成されている。
【００２１】
ブラケット３１は、鋼板によって構成されている。このブラケット３１は、左右方向を板厚方向とし且つ前後方向に延在された長尺状の略台形板状に形成されている。また、ブラケット３１の上下寸法が、後側へ向かうに従い大きくなるように設定されている。ブラケット３１の後端部には、複数（本実施の形態では、４箇所）の係止片３１Ａが一体に形成されている。この係止片３１Ａは、支柱１３の係止孔１３Ａに対応して、上下方向に所定の間隔を空けて並んで配置されている。係止片３１Ａは、側面視で略逆Ｌ字形状に形成されている。そして、係止片３１Ａが、支柱１３の係止孔１３Ａ内に挿入され、支柱１３に係止されて、ブラケット３１（棚受けユニット２２）が支柱１３に組付けられている。これにより、棚受けユニット２２の支柱１３への組付状態では、ブラケットユニット３０Ｒが支柱１３から前側へ延出されている。
【００２２】
ブラケット３１の上端部には、前端側部分を除いて、左側（陳列棚１０の幅方向中央側）へ屈曲された上側ガイド壁３１Ｂが形成されている。また、ブラケット３１の上端側の部分には、前後一対のレール用位置決め孔３１Ｃが貫通形成されている。
【００２３】
ガイドレール３２は、鋼板によって構成されている。ガイドレール３２は、前後方向に延在された略長尺板状に形成されると共に、前側から見た正面視で、上側へ開放された略Ｕ字形状に屈曲されている。具体的には、ガイドレール３２は、ガイドレール３２の底壁を構成する下側ガイド壁３２Ａと、下側ガイド壁３２Ａの幅方向内側（陳列棚１０の幅方向中央側）の端部から上側へ延出された「側壁」としての内側ガイド壁３２Ｂと、下側ガイド壁３２Ａの幅方向外側端部から上側へ延出された「側壁」としての外側ガイド壁３２Ｃと、を含んで構成されている。
【００２４】
外側ガイド壁３２Ｃには、ブラケット３１のレール用位置決め孔３１Ｃに対応する位置において、前後一対の位置決めダボ３２Ｄが形成されている。位置決めダボ３２Ｄは、半抜き加工等によって形成されて、外側ガイド壁３２Ｃからガイドレール３２の幅方向外側へ突出している。そして、ガイドレール３２が、ブラケット３１の上端部の左側に隣接して配置されて、位置決めダボ３２Ｄが、ブラケット３１のレール用位置決め孔３１Ｃ内に嵌入されている。さらに、外側ガイド壁３２Ｃがブラケット３１に溶接によって接合されている。これにより、ブラケットユニット３０Ｒでは、左右方向を板厚方向とするブラケット３１及び外側ガイド壁３２Ｃが、接合した状態で前後方向に延在されている。また、ブラケットユニット３０Ｒでは、上側ガイド壁３１Ｂが、ガイドレール３２の開口部の一部（幅方向外側部分）を閉塞しており、上側ガイド壁３１Ｂ及び下側ガイド壁３２Ａが平行に配置されている。
【００２５】
また、内側ガイド壁３２Ｂでは、前端部を除いて、曲げ高さが、外側ガイド壁３２Ｃの曲げ高さよりも低くなっている。さらに、内側ガイド壁３２Ｂには、左側へ直角に屈曲された前後一対の連結壁３２Ｅが形成されている。
【００２６】
図４及び図７に示されるように、固定側ローラ３３は、ガイドレール３２における内側ガイド壁３２Ｂの前端部に設けられて、ガイドレール３２の内部に配置されている。具体的には、固定側ローラ３３は、左右方向を軸方向とした略円筒状に形成されている。また、固定側ローラ３３は、左右方向を軸方向とした固定側ローラ支持軸３４の基端部にベアリング（図示省略）を介して回転可能に支持されている。固定側ローラ支持軸３４の先端部は、ガイドレール３２の内側ガイド壁３２Ｂよりも左側へ突出しており、固定側ローラ支持軸３４の先端部の外周部には、雄ねじが形成されている。そして、固定側ローラ支持軸３４の先端部に、スプリングワッシャＷ１が挿入されると共に、ナットＮ１が螺合されて、固定側ローラ支持軸３４が、内側ガイド壁３２Ｂに締結固定されている。また、固定側ローラ３３と下側ガイド壁３２Ａとの間には、所定の隙間が形成されており、固定側ローラ３３の上端部は、内側ガイド壁３２Ｂよりも上側へ若干突出している。
【００２７】
図３及び図４に示されるように、棚受けユニット２２は、前後一対の連結板３５を有している。連結板３５は、鋼板によって構成されている。この連結板３５は、左右方向に延在されると共に、右側から見た側面視で、下側へ開放された略逆Ｕ字形状に屈曲されている。そして、連結板３５の長手方向両端部が、ブラケットユニット３０Ｒ，３０Ｌの連結壁３２Ｅの上側に配置され、リベット３６によって連結壁３２Ｅに固定されている。これにより、ブラケットユニット３０Ｒ及びブラケットユニット３０Ｌが、一対の連結板３５によって連結されて、棚受けユニット２２が補強されている。
【００２８】
＜棚板ユニット２４について＞
図５及び図６に示されるように、棚板ユニット２４は、天板４０と、左右一対の側板５０Ｌ，５０Ｒと、前後一対の補強板６０と、左右一対の、棚板レール７０Ｌ，７０Ｒ、可動側ローラ８０（図１１参照）、及び「規制部材」としてのブッシュ９０Ｌ，９０Ｒ（図１１参照）と、を含んで構成されている。また、天板４０、側板５０Ｌ，５０Ｒ、補強板６０、及び棚板レール７０Ｌ，７０Ｒは、それぞれ鋼板によって構成されている。
【００２９】
図５に示されるように、天板４０は、上下方向を板厚方向とし且つ左右方向を長手方向とする略矩形板状に形成されている。そして、天板４０の上面が、陳列する商品を載置するための載置面として構成されている。天板４０の前端部及び後端部は、下側へ屈曲されている。天板４０の前端部には、前側において、ガード部材４２が取付けられている。ガード部材４２は、左右方向に延在されると共に、左側から見た側面視で、略Ｌ字形状に屈曲されている。
【００３０】
側板５０Ｌ，５０Ｒは、天板４０の幅方向両端部の下側にそれぞれ配置されている。また、側板５０Ｌ，５０Ｒは、棚板ユニット２４の幅方向中央に対して左右対称に構成されている。このため、以下、側板５０Ｒの構成について説明し、側板５０Ｌの構成についての説明は適宜省略する。
【００３１】
側板５０Ｒは、前後方向に延在された長尺状に形成されると共に、天板４０の右端部の下側に配置されている。この側板５０Ｒは、正面視で、略逆Ｌ字形状に形成されている。具体的には、側板５０Ｒは、左右方向を板厚方向とする側壁５１と、側壁５１の上端部から天板４０の幅方向内側へ延出された上壁５２と、を含んで構成されている。そして、上壁５２が、天板４０の右端部の下面に接合されている。また、棚板ユニット２４が、棚受けユニット２２に組付けられた状態では、側壁５１が、棚受けユニット２２のブラケット３１に対して天板４０の幅方向外側に配置されるようになっている（図２、図７、及び図８参照）。
【００３２】
補強板６０は、左右方向に延在された略長尺状に形成されて、側面視で、上側へ開放された略逆ハット形状に形成されている。そして、前後一対の補強板６０が、天板４０の下側に隣接して配置されており、補強板６０の上端部における一対のフランジが、天板４０の下面に溶接等によって接合されている。
【００３３】
棚板レール７０Ｌ，７０Ｒは、天板４０の幅方向両端部の下側にそれぞれ配置されている。棚板レール７０Ｌ，７０Ｒは、棚板ユニット２４の幅方向中央に対して左右対称に構成されている。このため、以下、棚板レール７０Ｒの構成について説明し、棚板レール７０Ｌの構成についての説明は適宜省略する。
【００３４】
図５及び図６に示されるように、棚板レール７０Ｒは、補強板６０の右端部の下側において、前後方向に延在されている。図７及び図８にも示されるように、棚板レール７０Ｒは、前側から見た断面視で下側へ開放された略逆Ｕ字形状に形成されている。具体的には、棚板レール７０Ｒは、上下方向を板厚方向とした頂壁７１と、頂壁７１の幅方向内側（棚板ユニット２４の幅方向中央側）の端部から下側へ延出された内側レール壁７２と、頂壁７１の幅方向外側の端部から下側へ延出された外側レール壁７３と、を含んで構成されている。そして、棚板レール７０Ｒの頂壁７１が、補強板６０の右端部の底壁に締結部材によって締結固定されている。
【００３５】
また、棚板ユニット２４が、棚受けユニット２２に組付けられた状態では、棚板レール７０Ｌ，７０Ｒにおける外側レール壁７３が、棚受けユニット２２のガイドレール３２の内部にそれぞれ配置されている。詳しくは、棚板レール７０Ｌ，７０Ｒにおける外側レール壁７３が、ガイドレール３２の略幅方向中央部に配置されている。さらに、外側レール壁７３の前端部が、固定側ローラ３３に対して棚板ユニット２４の幅方向外側に所定の隙間Ｇ１を空けて配置されており、固定側ローラ３３の上側に棚板レール７０Ｌ，７０Ｒの頂壁７１が載置されている（図７参照）。これにより、棚板ユニット２４が前後方向にスライドするときには、固定側ローラ３３が自身の軸回りに回転するように構成されている。
【００３６】
図６に示されるように、外側レール壁７３の後端部には、他の部分よりも下側へ張出された取付部７３Ａが形成されている。取付部７３Ａには、後述する可動側ローラ８０を取付けるための取付孔７３Ｂが貫通形成されている。また、取付部７３Ａには、取付孔７３Ｂの前側において、後述するブッシュ９０Ｌ，９０Ｒの位置を決めるためのブッシュ用位置決め孔７３Ｃが貫通形成されている。
【００３７】
図６及び図８に示されるように、可動側ローラ８０は、左右方向を軸方向とした円筒状に形成されている。また、可動側ローラ８０は、「ローラ支持軸」としての可動側ローラ支持軸８２によって棚板レール７０Ｌ，７０Ｒの後端部にそれぞれ固定されて、棚板ユニット２４の幅方向外側に配置されている（図８では、可動側ローラ８０が棚板レール７０Ｒに固定された状態を図示している）。
【００３８】
可動側ローラ支持軸８２は、左右方向を軸方向としたシャフト状に形成されている。具体的には、可動側ローラ支持軸８２は、可動側ローラ支持軸８２の一端部を構成する略円柱状のローラ支持部８２Ａと、ローラ支持部８２Ａから可動側ローラ支持軸８２の軸方向他方側へ延出された固定軸部８２Ｂと、を含んで構成されている。ローラ支持部８２Ａには、固定軸部８２Ｂとの境界部分において、径方向外側へ突出されたフランジ部８２Ｃが一体に形成されており、フランジ部８２Ｃは、ローラ支持部８２Ａの周方向全周に亘って形成されている。また、ローラ支持部８２Ａの径方向外側には、ベアリング８４が設けられている。そして、ローラ支持部８２Ａが、ベアリング８４の内部に嵌入されており、可動側ローラ８０の内部にベアリング８４が嵌入されている。これにより、可動側ローラ８０が、可動側ローラ支持軸８２に回転可能に支持されている。
【００３９】
また、可動側ローラ支持軸８２の固定軸部８２Ｂの外周部には、雄ねじが形成されている。そして、固定軸部８２Ｂが、棚板レール７０Ｌ，７０Ｒの取付孔７３Ｂ内に棚板ユニット２４の幅方向外側から挿入されて、後述するブッシュ９０Ｒ（９０Ｌ）と共に外側レール壁７３に締結固定されている。これにより、可動側ローラ８０が、外側レール壁７３に対して棚板ユニット２４の幅方向外側に配置されている。
【００４０】
また、棚板ユニット２４が棚受けユニット２２に組付けられた状態では、可動側ローラ８０が、ガイドレール３２の内部（詳しくは、幅方向外側部分）に配置されると共に、ガイドレール３２の下側ガイド壁３２Ａ上に載置されている。これにより、棚板ユニット２４が前後方向にスライドするときには、可動側ローラ８０が転動する構成になっている。さらに、棚板ユニット２４が前後方向にスライドするときには、可動側ローラ８０が、棚受けユニット２２の上側ガイド壁３１Ｂと下側ガイド壁３２Ａとの間に配置されて、上側ガイド壁３１Ｂ及び下側ガイド壁３２Ａによってガイドされる構成になっている。なお、可動側ローラ８０と、棚受けユニット２２の外側ガイド壁３２Ｃと、の間には、左右方向において所定の隙間Ｇ２（図８参照）が形成されている。
【００４１】
図６、図８、及び図９〜図１１に示されるように、ブッシュ９０Ｌ，９０Ｒは、樹脂材（本実施の形態では、ポリアセタール）によって構成されている。また、ブッシュ９０Ｌ，９０Ｒは、棚板ユニット２４の幅方向中央に対して左右対称に構成されている。このため、以下、ブッシュ９０Ｒに構成について説明し、ブッシュ９０Ｌの構成の説明については適宜省略する。
【００４２】
ブッシュ９０Ｒは、正面視で、略逆Ｌ字形板状に形成されている。具体的には、ブッシュ９０Ｒは、左右方向を板厚方向としたブッシュ本体部９１と、ブッシュ本体部９１の下端部から棚板ユニット２４の幅方向内側（左側）へ延出されたブッシュ規制部９２と、を含んで構成されている。
【００４３】
ブッシュ本体部９１は、前後方向を長手方向とする略矩形板状に形成されている。ブッシュ本体部９１の後部には、可動側ローラ支持軸８２の固定軸部８２Ｂに対応する位置において、固定孔９１Ａが貫通形成されている。そして、ブッシュ本体部９１が、棚板レール７０Ｒの外側レール壁７３に対して棚板ユニット２４の幅方向内側に隣接して配置され、可動側ローラ支持軸８２の固定軸部８２Ｂが、固定孔９１Ａ内に棚板ユニット２４の幅方向外側から挿入されている。また、固定軸部８２Ｂの先端部には、スプリングワッシャＷ２が挿入されると共に、ナットＮ２が螺合されている。これにより、ブッシュ９０Ｒが、固定軸部８２Ｂ（可動側ローラ支持軸８２）と共に、棚板レール７０Ｒの外側レール壁７３に固定されている。そして、棚板ユニット２４が棚受けユニット２２に組付けられた状態では、ブッシュ９０Ｌ，９０Ｒが、ガイドレール３２の内部（詳しくは、幅方向内側部分）に配置されている。
【００４４】
また。ブッシュ本体部９１の前部には、位置決め部９１Ｂが一体に形成されている。位置決め部９１Ｂは、左右方向を軸方向とした略円筒状に形成されて、ブッシュ本体部９１から右側へ突出している。そして、位置決め部９１Ｂが、ガイドレール３２のブッシュ用位置決め孔７３Ｃに嵌入されている。
【００４５】
また、ブッシュ本体部９１の後下の角部は、可動側ローラ８０の外形と同心円状を成す円弧状に形成されている。さらに、ブッシュ本体部９１の後下の角部には、右側へ突出されたリブ９１Ｃが形成されており、リブ９１Ｃは、ブッシュ本体部９１の外形に沿って延在されている。そして、リブ９１Ｃが、外側レール壁７３における後下角部の端面を被覆している。これにより、ブッシュ９０Ｒが外側レール壁７３に固定されるときには、位置決め部９１Ｂ及びリブ９１Ｃが回り止部として機能して、ブッシュ９０Ｒの棚板レール７０Ｒに対する相対回転が制限される構成になっている。
【００４６】
ブッシュ規制部９２は、上下方向を板厚方向とし、且つ平面視で前後方向を長手方向とする略矩形板状に形成されている。また、ブッシュ規制部９２の先端部における前後の角部は、円弧状に湾曲された円弧部９２Ａとして構成されている。さらに、ブッシュ規制部９２の上面には、上側へ開放された抉り部９２Ｂが形成されており、抉り部９２Ｂは、左側から見て、固定孔９１Ａと同心円状に形成された円弧状に形成されている。また、ブッシュ規制部９２の下面には、下側へ開放された凹部９２Ｃが形成されている。
【００４７】
そして、棚板ユニット２４の棚受けユニット２２への組付状態では、ブッシュ規制部９２の先端部が内側ガイド壁３２Ｂの下端部（根元部）と左右方向に対向配置されている。また、この状態では、ブッシュ規制部９２の先端部と内側ガイド壁３２Ｂとの間には、左右方向に僅かな隙間Ｇ３（図８及び図９参照）が形成されている。具体的には、左右方向における、ブッシュ規制部９２の先端部と内側ガイド壁３２Ｂとの間の隙間Ｇ３が、可動側ローラ８０と外側ガイド壁３２Ｃとの間の隙間Ｇ２、及び固定側ローラ３３と外側レール壁７３との間の隙間Ｇ１よりも小さく設定されている。これにより、ブッシュ規制部９２の先端部が内側ガイド壁３２Ｂの下端部（根元部）に当接することで、ブッシュ９０Ｌ，９０Ｒによって、左右方向における棚板ユニット２４のガイドレール３２（棚受けユニット２２）に対する相対移動を規制する構成になっている。また、棚板ユニット２４の棚受けユニット２２への組付状態では、ブッシュ規制部９２の下面と下側ガイド壁３２Ａとの間には、上下方向に隙間が形成されている。すなわち、ブッシュ９０Ｌ，９０Ｒが、下側ガイド壁３２Ａに対して上側に離間して配置されている。
【００４８】
なお、天板４０の前端部の下面には、収納位置における棚板ユニット２４をロックするロック機構（図示省略）が設けられており、ロック機構は、棚受けユニット２２における前側の連結板３５に形成されたロック孔３５Ａ（図３参照）に係合可能に構成されている。そして、使用者がロック機構を操作して、ロック機構の連結板３５に対する係合状態を解除することで、棚板ユニット２４が収納位置から前側へスライドできるように構成されている。
【００４９】
（作用及び効果）
上記のように構成された陳列棚１０は、複数のスライド棚２０を有しており、スライド棚２０が、フレーム１１の支柱１３に組付けられている。このスライド棚２０は、支柱１３に組付けられた棚受けユニット２２と、棚受けユニット２２に前後方向にスライド可能に組付けられた棚板ユニット２４と、を含んで構成されている。そして、収納位置の棚板ユニット２４を前側へ引き出すことで、棚板ユニット２４が収納位置から前側へスライドする。また、このときには、棚板ユニット２４の可動側ローラ８０が、棚受けユニット２２のガイドレール３２内を転動すると共に、棚受けユニット２２の上側ガイド壁３１Ｂ及び下側ガイド壁３２Ａによってガイドされる。さらに、このときには、棚板ユニット２４の棚板レール７０Ｌ，７０Ｒの頂壁７１が、棚受けユニット２２の固定側ローラ３３上をスライドして、固定側ローラ３３が回転する。これにより、棚板ユニット２４が、引出位置に配置される。
【００５０】
一方、引出位置の棚板ユニット２４を後側へ押込むことで、棚板ユニット２４が引出位置から後側へスライドする。また、このときには、上述と同様に、棚板ユニット２４の可動側ローラ８０が、ガイドレール３２内を転動すると共に、棚受けユニット２２の固定側ローラ３３が回転する。そして、棚板ユニット２４が収納位置に配置される。
【００５１】
ここで、本実施の形態の陳列棚１０では、左右一対のブッシュ９０Ｌ，９０Ｒが、棚板ユニット２４の後端部における幅方向両端部に設けられている。そして、ブッシュ９０Ｌ，９０Ｒが、棚受けユニット２２のガイドレール３２内に配置されて、棚板ユニット２４のガイドレール３２に対する左右方向の相対移動を規制している。このため、棚板ユニット２４を前後方向に良好に（スムースに）スライドさせることができる。以下、この点について詳述する。
【００５２】
すなわち、引出位置の棚板ユニット２４を収納位置へスライドさせるときには、使用者が棚板ユニット２４の前端部の任意の部位を後方側へ押込むことができる。このため、使用者が棚板ユニット２４の前端部における左端部又は右端部を後方側へ押込むと、棚板ユニット２４に回転モーメントが発生する。例えば、図１１に示されるように、棚板ユニット２４の前端部における左端部を押込むと、当該左端部に後側への操作力Ｆが入力されて、平面視で時計回りの回転モーメントが棚板ユニット２４に発生する。このため、棚板ユニット２４が棚受けユニット２２に対して傾く。具体的には、棚板ユニット２４の後端部が右側（図１１の矢印Ａ方向側）へ変位し、棚板ユニット２４の右前端部が左側（図１１の矢印Ｂ方向側）へ変位するように、棚板ユニット２４が棚受けユニット２２に対して傾く。
【００５３】
そして、仮に、棚板ユニット２４においてブッシュ９０Ｌ，９０Ｒを省略した場合（以下、この形態を比較例の陳列棚と称す）には、左右方向における棚板ユニット２４のガイドレール３２に対する相対移動が規制されない。このため、比較例の陳列棚では、棚板ユニット２４の後端部が右側へ変位して、右側の可動側ローラ８０が右側のガイドレール３２の外側ガイド壁３２Ｃに当接する。また、棚板ユニット２４の右前端部が左側へ変位して、右側の棚板レール７０Ｒの外側レール壁７３が、右側の固定側ローラ３３に当接する。このため、右側の可動側ローラ８０がガイドレール３２の外側ガイド壁３２Ｃをこじると共に、右側の棚板レール７０Ｒの外側レール壁７３が固定側ローラ３３をこじるようになる。これにより、比較例の陳列棚では、右側の固定側ローラ３３及び可動側ローラ８０の回転が阻害されて、固定側ローラ３３及び可動側ローラ８０が良好に回転しなくなる。その結果、棚板ユニット２４が引出位置から後側へスライドできなくなる可能性がある。
【００５４】
一方、本実施の形態の陳列棚１０では、上述のように、ブッシュ９０Ｌ，９０Ｒが、棚板ユニット２４に設けられると共に、棚受けユニット２２のガイドレール３２内に配置されている。このため、例えば、棚板ユニット２４の前端部における左端部を後方側へ押込んで、時計回りの回転モーメントが棚板ユニット２４に発生したときには、左側のブッシュ９０Ｌのブッシュ規制部９２の先端部が、左側のガイドレール３２の内側ガイド壁３２Ｂに当接する（図１１のａ部拡大を参照）。これにより、棚板ユニット２４の棚受けユニット２２に対する傾きが制限されると共に、棚板ユニット２４のガイドレール３２に対する左右方向の相対移動が規制される。その結果、右側の可動側ローラ８０が右側のガイドレール３２の外側ガイド壁３２Ｃをこじることを抑制できると共に、右側の棚板レール７０Ｒの外側レール壁７３が、右側の固定側ローラ３３をこじることを抑制できる（図１１のｂ部拡大を参照）。これにより、固定側ローラ３３及び可動側ローラ８０の回転が阻害されることを抑制できる。
【００５５】
そして、棚板ユニット２４に入力された後側への操作力Ｆによって、ブッシュ９０Ｌにおけるブッシュ規制部９２の円弧部９２Ａが、左側のガイドレール３２の内側レール壁７２を摺動しながら、棚板ユニット２４が後側へスライドする。また、このときには、固定側ローラ３３が回転すると共に、可動側ローラ８０が転動する。したがって、本実施の形態の陳列棚１０によれば、引出位置の棚板ユニット２４の前端部における左端部又は右端部を後方側へ押込んでも、棚板ユニット２４をスムースに後方側へ移動させることができる。以上により、棚板ユニット２４を良好にスライドさせることができる。
【００５６】
また、ブッシュ９０Ｌ，９０Ｒは、可動側ローラ８０を支持する可動側ローラ支持軸８２の固定軸部８２Ｂと共に、棚板レール７０Ｌ，７０Ｒに締結固定されている。具体的には、固定軸部８２Ｂが、棚板レール７０Ｌ，７０Ｒにおける外側レール壁７３の取付孔７３Ｂ、及びブッシュ９０Ｌ，９０Ｒの固定孔９１Ａに挿入されて、ナットＮ２が固定軸部８２Ｂに螺合されている。このため、可動側ローラ８０を棚板レール７０Ｌ，７０Ｒに固定するための可動側ローラ支持軸８２を活用して、ブッシュ９０Ｌ，９０Ｒを棚板レール７０Ｌ，７０Ｒに固定することができる。これにより、ブッシュ９０Ｌ，９０Ｒを固定するための固定部材を別途設けることなく、ブッシュ９０Ｌ，９０Ｒを棚板ユニット２４（棚板レール７０Ｌ，７０Ｒ）に固定することができる。したがって、部品点数の増加を抑制しつつ、ブッシュ９０Ｌ，９０Ｒを棚板ユニット２４に固定することができる。
【００５７】
また、ガイドレール３２は、正面視で、上側へ開放された略Ｕ字形状に屈曲形成されている。さらに、ブッシュ９０Ｌ，９０Ｒは、ブッシュ規制部９２を有しており、ブッシュ規制部９２の先端部がガイドレール３２の内側ガイド壁３２Ｂの曲げ根元部に当接可能に構成されている。このため、左右方向における内側ガイド壁３２Ｂとブッシュ規制部９２との間の隙間Ｇ３を極力小さく設定することができる。すなわち、内側ガイド壁３２Ｂは、上側へ屈曲されているため、左右方向における、内側ガイド壁３２Ｂの先端部の位置精度が、内側ガイド壁３２Ｂの根元部の位置精度よりも悪化する傾向になる。換言すると、左右方向における、内側ガイド壁３２Ｂの先端部の寸法公差が、内側ガイド壁３２Ｂの根元部の寸法公差よりも大きくなる。このため、仮に、ブッシュ規制部９２の先端部をガイドレール３２の内側ガイド壁３２Ｂの先端部に当接可能に構成した場合には、左右方向における内側ガイド壁３２Ｂとブッシュ規制部９２との間の隙間Ｇ３を比較的大きく設定する必要がある。これに対して、本実施の形態では、ブッシュ規制部９２の先端部がガイドレール３２の内側ガイド壁３２Ｂの曲げ根元部に当接可能に構成されている。このため、ブッシュ規制部９２の先端部を内側ガイド壁３２Ｂの先端部に当接可能に構成した場合と比べて、左右方向における内側ガイド壁３２Ｂとブッシュ規制部９２との間の隙間Ｇ３を小さく設定することができる。これにより、ブッシュ９０Ｌ，９０Ｒによる棚板ユニット２４に対する規制効果を高くすることができる。
【００５８】
また、ブラケットユニット３０Ｌ，３０Ｒでは、左右方向を板厚方向とする、ブラケット３１と、ガイドレール３２の外側ガイド壁３２Ｃと、が接合されている。このため、ブラケットユニット３０Ｌ，３０Ｒの上下方向の曲げ剛性を高くすることができる。したがって、棚板ユニット２４を下側から支持するブラケットユニット３０Ｌ，３０Ｒの支持性能を高くすることができる。
【００５９】
なお、本実施の形態では、ブッシュ９０Ｌ，９０Ｒによって、左右方向における棚板ユニット２４のガイドレール３２（棚受けユニット２２）に対する相対移動を規制する構成になっているが、棚板ユニット２４のガイドレール３２（棚受けユニット２２）に対する相対移動を規制する構成は、これに限らない。例えば、ブッシュ９０Ｌ，９０Ｒの代わりに、上下方向を軸方向とした規制用ローラを棚板ユニット２４の棚板レール７０Ｌ，７０Ｒに設けて、規制用ローラをガイドレール３２の内側ガイド壁３２Ｂに当接可能に構成してもよい。この場合には、棚板ユニット２４のスライド時に、規制用ローラが転動するため、棚板ユニット２４を一層良好にスライドさせることができる。
【００６０】
また、本実施の形態では、ブッシュ９０Ｌ，９０Ｒが、棚板レール７０Ｌ，７０Ｒの内部に配置されているが、ブッシュ９０Ｌ，９０Ｒを、可動側ローラ８０と同様に棚板レール７０Ｌ，７０Ｒの幅方向外側（外部）に配置して、ブッシュ９０Ｌ，９０Ｒのブッシュ規制部９２をガイドレール３２の外側ガイド壁３２Ｃの曲げ根元部に当接可能に構成してもよい。この場合には、例えば、ブッシュ９０Ｌ，９０Ｒを可動側ローラ８０の前側に配置して、棚板レール７０Ｌ，７０Ｒの外側レール壁７３にブッシュ９０Ｌ，９０Ｒを固定するための固定ボルトを設けてもよい。これにより、ブッシュ９０Ｌ，９０Ｒ及び可動側ローラ８０が、棚板レール７０Ｌ，７０Ｒの幅方向外側（外部）に配置される。このため、可動側ローラ８０がガイドレール３２の外側ガイド壁３２Ｃに当接することを、可動側ローラ８０の前側に配置されたブッシュ９０Ｌ，９０Ｒ（ブッシュ規制部９２）によって直接的に阻止することができる。また、この場合には、ブッシュ９０Ｌ，９０Ｒのブッシュ規制部９２の先端部が、可動側ローラ８０よりも棚板ユニット２４の幅方向外側へ突出する。このため、例えば、棚板ユニット２４のユニット状態において、ブッシュ９０Ｌ，９０Ｒを可動側ローラ８０に対する保護部材としても活用することができる。
【００６１】
また、本実施の形態では、ブッシュ９０Ｌ，９０Ｒのブッシュ規制部９２がガイドレール３２の内側ガイド壁３２Ｂの根元部に当接可能に構成されている。これに代えて、ブッシュ９０Ｌ，９０Ｒをガイドレール３２の外側ガイド壁３２Ｃに当接可能に構成してもよい。例えば、図９の２点鎖線にて示されるように、ブッシュ９０Ｌ，９０Ｒの位置決め部９１Ｂを、可動側ローラ８０の前側においてブッシュ本体部９１から棚板ユニット２４の幅方向外側へ延ばして、外側ガイド壁３２Ｃに当接可能に構成してもよい。また、この場合には、位置決め部９１Ｂの先端部を半球状に形成してもよい。さらに、この場合には、位置決め部９１Ｂの位置を変更して、位置決め部９１Ｂの先端部を外側ガイド壁３２Ｃの根元部に当接可能に構成してもよい。
【００６２】
これにより、ブッシュ９０Ｌ，９０Ｒの棚板レール７０Ｌ，７０Ｒへの位置を決めるための位置決め部９１Ｂを活用して、棚板ユニット２４のガイドレール３２に対する左右方向の相対移動を規制することができる。また、この場合には、上述と同様に、位置決め部９１Ｂ及び可動側ローラ８０が、棚板レール７０Ｌ，７０Ｒの幅方向外側（外部）に配置される。このため、可動側ローラ８０がガイドレール３２の外側ガイド壁３２Ｃに当接することを、可動側ローラ８０の前側に配置された位置決め部９１Ｂによって直接的に阻止することができる。また、この場合には、上述と同様に、位置決め部９１Ｂの先端部が、可動側ローラ８０よりも棚板ユニット２４の幅方向外側へ突出する。このため、上述と同様に、棚板ユニット２４のユニット状態において、位置決め部９１Ｂを可動側ローラ８０に対する保護部材としても活用することができる。
【００６３】
また、上述のように、ブッシュ９０Ｌ，９０Ｒの位置決め部９１Ｂを、ガイドレール３２の外側ガイド壁３２Ｃに当接可能に構成する場合には、ブッシュ９０Ｌ，９０Ｒにおいて、ブッシュ規制部９２を残してもよい。この場合には、ブッシュ９０Ｌ，９０Ｒを、ガイドレール３２の内側ガイド壁３２Ｂ及び外側ガイド壁３２Ｃに当接可能に構成することができる。したがって、この場合には、ブッシュ９０Ｌ，９０Ｒの一方を省略してもよい。すなわち、ブッシュ９０Ｌ，９０Ｒの一方を省略しても、他方のブッシュ９０Ｌ，９０Ｒの位置決め部９１Ｂ及びブッシュ規制部９２によって、左右方向における棚板ユニット２４のガイドレール３２に対する相対移動を規制することができる。
【符号の説明】
【００６４】
１０   陳列棚
１１   フレーム
１３   支柱
２４   棚板ユニット（棚板）
３０Ｌ ブラケットユニット（棚受け部材）
３０Ｒ ブラケットユニット（棚受け部材）
３２   ガイドレール
３２Ｂ 内側ガイド壁（側壁）
３２Ｃ 外側ガイド壁（側壁）
３３   固定側ローラ
８０   可動側ローラ
８２   可動側ローラ支持軸（ローラ支持軸）
８２Ｂ 固定軸部
９０Ｌ ブッシュ（規制部材）
９０Ｒ ブッシュ（規制部材）
９１Ｂ 位置決め部
【図１】
2020156788.tif 000003
【図２】
2020156788.tif 000004
【図３】
2020156788.tif 000005
【図４】
2020156788.tif 000006
【図５】
2020156788.tif 000007
【図６】
2020156788.tif 000008
【図７】
2020156788.tif 000009
【図８】
2020156788.tif 000010
【図９】
2020156788.tif 000011
【図１０】
2020156788.tif 000012
【図１１】
2020156788.tif 000013